(57)【要約】【課題】位置座標情報が含まれる画像情報を取り込み、記録媒体に記録する画像記録装置及び画像記録システム並びに画像記録方法に関し、周辺装置の処理負担を軽減でき、かつ、画像の検索が容易に行える画像記録装置及び画像記録システム並びに画像記録方法を提供することを目的とする。【解決手段】本発明は、位置座標情報が含まれる画像情報を取り込み、記録媒体に記録する画像記録装置（１）であって、画像情報に含まれる位置座標情報（Ｐｉ）を、位置座標情報（Ｐｉ）に対応して予め設定された名称情報（Ｎｉ）に変換し、変換された位置名称情報（Ｎｉ）を画像情報のファイル名に設定し、画像情報を管理することを特徴とする。【選択図】      図５
2004159068.tif 000002
【特許請求の範囲】
【請求項１】
位置座標情報が含まれる画像情報を取り込み、記録媒体に記録する画像記録装置であって、
前記画像情報に含まれる位置座標情報を、位置座標情報に対応して予め設定された名称情報に変換する位置情報変換部と、
前記位置情報変換部で変換された前記位置名称情報を前記画像情報のファイル名に設定し、前記画像情報を管理する画像管理部とを有することを特徴とする画像記録装置。
【請求項２】
前記位置情報変換部は、緯度及び経度を地名に変換することを特徴とする請求項１記載の画像記録装置。
【請求項３】
前記位置情報変換部は、前記緯度及び経度と前記地名との対応を記憶した変換テーブルと、
前記変換テーブルに基づいて前記緯度及び経度を前記地名に変換する変換制御部とを有することを特徴とする請求項２記載の画像記録装置。
【請求項４】
前記変換テーブルは、前記緯度及び経度から地図上のエリアを決定するエリアマップと、
前記エリアマップにより決定されたエリアに基づいて前記位置名称情報を決定するエリア−位置名称情報変換テーブルとを有することを特徴とする請求項３記載の画像記録装置。
【請求項５】
前記位置名称情報は、名所、旧跡の名称を含むことを特徴とする請求項１乃至４のいずれか一項記載の画像記録装置。
【請求項６】
前記記録媒体に記録された前記画像情報を前記ファイル名に基づいて検索する検索手段を有することを特徴とする請求項１乃至５のいずれか一項記載の画像記録装置。
【請求項７】
撮像を行い、画像情報を取得する撮像ユニットと、
前記撮像ユニットで取得された画像情報を記憶する記憶手段と、
ＧＰＳ（ｇｌｏｂａｌ  ｐｏｓｉｔｉｏｎｉｎｇ  ｓｙｓｔｅｍ）による測位を行い、位置情報を取得するＧＰＳユニットと、
前記撮像ユニットで撮像された画像情報に前記ＧＰＳユニットで取得された位置情報を付与して前記記憶手段に記憶させる制御部とを有する撮像装置と、
前記記憶手段に記憶された前記画像情報を取り込み、前記画像情報に含まれる位置座標情報を位置座標情報に対応して予め設定された位置名称情報に変換する位置情報変換部と、
前記位置情報変換部で変換された前記位置名称情報を前記画像情報のファイル名に設定し、前記画像情報を所定の記録媒体に記録する記録部とを有する画像記録装置とを有することを特徴とする画像記録システム。
【請求項８】
前記画像記録装置は、
前記画像情報に含まれる位置座標情報を、位置座標情報に対応して予め設定された名称情報に変換する位置情報変換部と、
前記位置情報変換部で変換された前記位置名称情報を前記画像情報のファイル名に設定し、前記画像情報を管理する画像管理部とを有することを特徴とする請求項７記載の画像記録システム。
【請求項９】
前記位置情報変換部は、緯度及び経度を地名に変換することを特徴とする請求項８記載の画像記録システム。
【請求項１０】
前記位置情報変換部は、前記緯度及び経度と前記地名との対応を記憶した変換テーブルと、
前記変換テーブルに基づいて前記緯度及び経度を前記地名に変換する変換制御部とを有することを特徴とする請求項９記載の画像記録システム。
【請求項１１】
前記変換テーブルは、前記緯度及び経度から地図上のエリアを決定するエリアマップと、
前記エリアマップにより決定されたエリアに基づいて前記位置名称情報を決定するエリア−位置名称情報変換テーブルとを有することを特徴とする請求項１０記載の画像記録システム。
【請求項１２】
前記位置名称情報は、名所、旧跡の名称を含むことを特徴とする請求項７乃至１１のいずれか一項記載の画像記録システム。
【請求項１３】
前記記録媒体に記録された前記画像情報を前記ファイル名に基づいて検索する検索手段を有することを特徴とする請求項７乃至１２のいずれか一項記載の画像記録システム。
【請求項１４】
前記撮像装置は、画像を表示する表示部と、
前記表示部に前記記憶部に前記表示部の解像度に応じた解像度で予め記憶された地図を表示させるとともに、前記ＧＰＳユニットで測位された現在位置を前記表示部に表示された地図上に表示させる表示制御部とを有することを特徴とする請求項７乃至１３のいずれか一項記載の画像記録システム。
【請求項１５】
位置座標情報が含まれる画像情報を取り込み、記録媒体に記録する画像記録方法であって、
前記画像情報に含まれる位置座標情報を、位置座標情報に対応して予め設定された名称情報に変換し、
変換された前記位置名称情報を前記画像情報のファイル名に設定し、前記画像情報を管理することを特徴とする画像記録方法。
【発明の詳細な説明】
【０００１】
【発明の属する技術分野】
本発明は画像記録装置及び画像記録システム並びに画像記録方法に係り、特に、位置座標情報が含まれる画像情報を取り込み、記録媒体に記録する画像記録装置及び画像記録システム並びに画像記録方法に関する。
【０００２】
【従来の技術】
従来、ＧＰＳユニットを搭載し、撮影時に画像情報にＧＰＳユニットで測位された位置情報又は位置情報を地名に変換して表示するカメラ装置が提案されている（例えば、特許文献１、特許文献２、特許文献３、特許文献４参照）。
【０００３】
【特許文献１】
特開平１１−１７９０８号公報（段落番号〔００４０〕、図１４、図１５）。
【０００４】
【特許文献２】
特開２００１−１５７０９８号公報（段落番号〔００４３〕〜〔００５６〕、図８）。
【０００５】
【特許文献３】
特開２００１−１６９１６４号公報（段落番号〔００３５〕〜〔００５１〕、図６）。
【０００６】
【特許文献４】
特開２００２−２３８０１１号公報（段落番号〔００１０〕、図３）。
【０００７】
【発明が解決しようとする課題】
しかるに、従来はディジタルカメラに地図テーブルをもって、取得した緯度、経度情報に基づいて撮像した画像のファイル名を付与していたため、ディジタルカメラでの処理の負担が大きいなどの問題点があった。
【０００８】
また、従来はディジタルカメラの発明であり、ディジタルカメラで地名などのファイル名が記録にされるため、大きな容量が必要となるなどの問題点があった。
【０００９】
本発明は上記の点に鑑みてなされたもので、地名をファイル名として管理することにより、周辺装置の処理負担を軽減し、かつ、画像の検索が容易に行える画像記録装置及び画像記録システム並びに画像記録方法を提供することを目的とする。
【００１０】
【課題を解決するための手段】
本発明は、位置座標情報が含まれる画像情報を取り込み、記録媒体に記録する画像記録装置（１）であって、画像情報に含まれる位置座標情報（Ｐｉ）を、位置座標情報（Ｐｉ）に対応して予め設定された名称情報（Ｎｉ）に変換し、変換された位置名称情報（Ｎｉ）を画像情報のファイル名に設定し、画像情報を管理することを特徴とする。
【００１１】
本発明によれば、画像情報に含まれる位置座標情報（Ｐｉ）を、位置座標情報（Ｐｉ）に対応して予め設定された名称情報（Ｎｉ）に変換し、変換された位置名称情報（Ｎｉ）を画像情報のファイル名に設定し、画像情報を管理することにより、撮影した地名を指定することにより撮影された画像を取り出すことができるため、直感的に画像を取り出すことができる、したがって、操作性を向上させることができる。
【００１２】
【発明の実施の形態】
図１は本発明の一実施例のシステム構成図を示す。
【００１３】
本実施例の画像記録システム１は、画像記録装置１１及びその周辺装置となるディジタルカメラ１２、モニタ１３、プリンタ１４、パーソナルコンピュータ１５などを含む構成とされている。画像記録装置１１は、メモリカード２１、光ディスク２２、通信ケーブル３１〜３３を通してディジタルカメラ１２、モニタ１３、プリンタ１４、パーソナルコンピュータ１５などとのデータ交換が可能な構成とされている。なお、このとき、画像記録装置１１は、パーソナルコンピュータ１５の周辺機器となる。
【００１４】
メモリカード２１は、例えば、コンパクトフラッシュ（登録商標）メモリカード、ＳＤメモリカード、メモリスティック、スマートメディアなどの記録媒体から構成されている。メモリカード２１はディジタルカメラ１２に装着されて、ディジタルカメラ１２で撮影された画像データを記憶する。このとき、ディジタルカメラ１２は、画像データに位置情報を付与して記憶する。
【００１５】
画像記録装置１１にはメモリカード２１及び光ディスク２２が装着可能とされている。画像記録装置１１は、メモリカード２１から位置情報が付与された画像データを読み出して、読み出された画像データに位置情報に基づいて新たに地名などから構成されるファイル名を付与して、取り込み、地名などの直感的に識別可能なファイル名での検索を可能とする。また、画像記録装置１１は、メモリカード２１から取得した画像をモニタ１３に表示出力したり、光ディスク２２に記録したり、プリンタ１４により印刷出力したり、パーソナルコンピュータ１５に出力したりすることができる。また、画像記録装置１１は、光ディスク２２、あるいは、パーソナルコンピュータ１５から地図データを読み出し、読み出した地図データを簡略化してメモリカード２１に書き込むこと処理が可能とされている。なお、画像記録装置１１の動作については、後で詳細に説明する。
【００１６】
次に、ディジタルカメラ１２の構成を詳細に説明する。
【００１７】
図２はディジタルカメラ１２のブロック構成図を示す。
【００１８】
ディジタルカメラ１２は、撮像部１０１及びＧＰＳ（ｇｌｏｂａｌ  ｐｏｓｉｔｉｏｎｉｎｇ  ｓｙｓｔｅｍ）ユニット１０２並びに表示部１０３から構成される。
【００１９】
撮像部２１は、光学レンズ１１１、絞り１１２、光学フィルタ１１３、ＣＣＤ（ｃｈａｒｇｅ  ｃｏｕｐｌｅｄ  ｄｅｖｉｃｅ）ユニット１１４、処理回路１１５、ドライバ１１６、アクチュエータ１１７、１１８、操作部１１９、インタフェース部１２０、メモリカードスロット１２１を含む構成とされ、撮影を行い、その画像データを作成し、記録媒体２１に記憶する。
【００２０】
光学レンズ１１１は、光を収束させる。光学レンズ１１１で収束された光は、絞り１１２を通して光学フィルタ１１３に供給される。絞り１１２は、ＣＣＤユニット１１４に供給する光の量を調整するものである。光学フィルタ１１３には、絞り１１２を通過した光が供給される。光学フィルタ１１３は、その位置に応じてＲＧＢ三原色のいずれかの光の成分を透過させる。
【００２１】
光学フィルタ１１３を透過した光は、ＣＣＤユニット１１４に供給される。ＣＣＤユニット１１４は、光学フィルタ１１３と透過した光を電気信号に変換し、変換された電気信号に対して所定の信号処理を行った後、処理回路１１５に供給する。
【００２２】
処理回路１１５には、ドライバ１１６、操作部１１９、インタフェース部１２０が接続されている。ドライバ１１６は、処理回路１１５からの指示に基づいてアクチュエータ１１７、１１８を駆動する。
【００２３】
アクチュエータ１１７は、光学レンズ１１１を矢印Ａ方向に変位させる。アクチュエータ１１８は、絞り１１２の開口面積を調整する。処理回路１１５は、ドライバ１１６を介してアクチュエータ１１７を制御し、被写体がＣＣＤユニット１１４上で焦点を結ぶように制御する。また、処理回路１１５は、ドライバ１１６を介してアクチュエータ１１８を制御し、ＣＣＤユニット１１４への光量が最適になるように調整する。
【００２４】
さらに、処理回路１１５は、操作部１１９でのシャッタ操作によりＣＣＤユニット１１４からの画像信号を読み取り、ディジタル画像データに変換し、変換した画像データを、インタフェース１２０を介して記録媒体２１に記憶する。
【００２５】
処理回路１１５は、ＣＣＤユニット１１４からの画像信号をＪＰＥＧ（ｊｏｉｎｔ  ｐｈｏｔｏｇｒａｐｈｉｃ  ｅｘｐｅｒｔｓ  ｇｒｏｕｐ）などによって規格化された画像データに変換する。このとき、処理回路１１５は、撮影時にＧＰＳユニット１０２からＧＰＳ位置情報を取り込み、画像データのユーザエリアなどにセットする。ＧＰＳ位置情報がセットされた画像データは、インタフェース１２０、メモリカードスロット１２１を介してメモリカード２１に供給され、メモリカード２１に記憶される。
【００２６】
ＧＰＳユニット１０２は、ＧＰＳ受信アンテナ１３１及びＧＰＳ受信ユニット１３２から構成される。ＧＰＳ受信アンテナ１３１は、ＧＰＳ人工衛星１４０から送出される電波を受信し、ＧＰＳ受信ユニット１３２に供給する。ＧＰＳ受信ユニット１３２は、ＧＰＳ受信アンテナ１３１から供給される信号から緯度、経度、高度、並びに、移動速度などの情報を算出し、算出した情報を処理回路１１５に供給する。処理回路１１５は、ＧＰＳユニット１０２から供給された緯度、経度、高度、並びに、移動速度などの情報を前述した画像データにセットする。
【００２７】
図２、図３は画像データのデータ構成図を示す。
【００２８】
ＪＰＥＧファイル形式の画像データは、図２に示すようにイメージ開始セグメントＳＯＩ（ｓｔａｒｔ  ｏｆ  ｉｍａｇｅ）、アプリケーションセグメントＡＰＰ１、ＡＰＰ２、テーブル定義セグメントＴＢＬ、スキャン開始セグメントＳＯＳ（ｓｔａｒｔ  ｏｆｓｃａｎｎｉｎｇ）、イメージ終了セグメントＥＯＩ（ｅｎｄ  ｏｆ  ｉｍａｇｅ）から構成される。
【００２９】
イメージ開始セグメントＳＯＩは、ファイルの開始を示すセグメントである。
アプリケーションセグメントＡＰＰ１、ＡＰＰ２は、アプリケーションデータを保存したセグメントである。テーブル定義セグメントＴＢＬは、量子化テーブル定義セグメントＤＱＴ、ハフマン法テーブル定義セグメントＤＨＴから構成され、画像データの復号化に用いられるテーブルが定義されている。スキャン開始セグメントＳＯＳは、ヘッダに続いてハフマン符号化された画像データが保存された構成とされている。イメージ終了セグメントＥＯＩは、ファイルの終了を示すセグメントである。
【００３０】
また、アプリケーションセグメントＡＰＰ１は、図２に示すようにマーカＭ、識別コードＩＤ、ヘッダＨ、データＩＦＤ０、ＩＦＤ１から構成されている。
【００３１】
マーカＭは、セグメントの開始を示すデータである。識別コードＩＤは、セグメントがアプリケーションセグメントＡＰＰ１であることを示すデータである。
ヘッダＨは、セグメントを構成するデータの構造を示すデータである。
【００３２】
データＩＦＤ０及びデータＩＦＤ１は、アプリケーションセグメントＡＰＰ１を構成するデータである。データＩＦＤ０は、図３に示す画像情報、撮影情報、位置情報を構成する。また、データＩＦＤ１は、図３に示すサムネイル画像情報及びサムネイル画像データを構成する。
【００３３】
データＩＦＤ０を構成する画像情報は、スキャン開始セグメントＳＯＳに記憶された画像データに関する情報が記憶されている。その情報は、例えば、画像の幅、画像の高さ、画像タイトル、画像入力機器のメーカ名、画像入力機器のモデル名、画像方向、解像度、ファイル変更日時、作者名、著作権者などの情報から構成される。
【００３４】
また、データＩＦＤ０を構成する撮影情報は、スキャン開始セグメントＳＯＳに記憶された画像データの撮影に関する情報が記憶されている。その情報は、例えば、露出時間、Ｆ値、シャッタースピード、絞り値、フラッシュの有無、焦点距離、メーカノート、ユーザコメントなどの情報から構成される。
【００３５】
さらに、データＩＦＤ０を構成する位置情報は、撮影時にＧＰＳユニット１０２で測位された位置情報が記憶されている。その情報は、例えば、次の緯度の情報が北緯か、南緯かを識別するための緯度識別情報、緯度情報、次の経度の情報が東経か、西経かを識別するための経度識別情報、高度、撮影時の移動速度、撮影した画像の方向、予め設定された目的地などの情報から構成される。
【００３６】
また、データＩＦＤ１を構成するサムネイル画像情報、データＩＦＤ１を構成するサムネイル画像データに関する情報が記憶されている。その情報は、例えば、サムネイル画像の幅、サムネイル画像の高さ、サムネイル画像のタイトル、画像入力機器のメーカ名、画像入力機器のモデル名、画像方向、使用ソフト名、ファイル更新日時、作者名、著作権者などの情報から構成される。
【００３７】
以上のように、本実施例のディジタルカメラ１２では、ＧＰＳユニット１０２により測位された位置情報が画像データに付与され、メモリカード２１に記憶される。メモリカード２１は、画像記録装置１１に装着されて、光ディスク２２などに記録される。
【００３８】
図５は画像記録装置１１のブロック構成図を示す。
【００３９】
画像記録装置１１は、メモリカードスロット２０１、ＵＳＢポート２０２、ビデオ出力端子２０３、操作ボタン２０４、リモコン２０５、リモコンインタフェース２０６、ＣＤ−Ｒ／ＲＷドライブ２０７、処理部２０８、ＲＡＭ２０９、ＲＯＭ２１０を含む構成とされている。
【００４０】
メモリカードスロット２０１には、メモリカード２１が装着される。メモリカード２１はメモリカードスロット２０１に装着されると、処理部２０８と通信可能となる。
【００４１】
ＵＳＢポート２０２には、プリンタ１４あるいはパーソナルコンピュータ１５がインタフェースケーブル３２、３３を介して接続される。プリンタ１４、パーソナルコンピュータ１５は、インタフェースケーブル３２、３３によりＵＳＢポート２０２に接続されることによって処理部２０８との通信が可能となる。
【００４２】
ビデオ出力端子２０３には、ビデオケーブル３１を介してモニタ１３が接続される。モニタ１３は、ビデオケーブル３１を介してビデオ出力端子２０３に接続されることにより、画像の表示が可能となる。
【００４３】
リモコン２０５は、リモコンインタフェース２０６と光あるいは電波により通信可能とされている。リモコンインタフェース２０６は、リモコン２０５と処理部２０８とのインタフェースをとる。
【００４４】
ＣＤ−Ｒ／ＲＷドライブ２０７には、光ディスク２２が挿着脱可能とされている。ＣＤ−Ｒ／ＲＷドライブ２０７は、処理部２０８と通信を行い、処理部２０８からの指示に基づいて光ディスク２２から情報を読み出したり、光ディスク２２に情報を書き込んだりする。処理部２０８は、ＲＯＭ２１０に予め記憶されたファームウェアプログラムに基づいて処理を実行する。また、ＲＡＭ２０９は、処理部２０８の作業用記憶領域として用いられる。
【００４５】
次の処理部２０８で実行される処理のうち、メモリカード２１からの画像データの取り込み時の処理について詳細に説明する。
【００４６】
図６は画像記録装置１１の動作フローチャートを示す。
【００４７】
処理部２０８は、ステップＳ１−１でメモリカード２１が装着されると、ステップＳ１−２で内部変数ｎに「１」を代入する。次に処理部２０８は、ステップＳ１−３でメモリカード２１にアクセスし、メモリカード２１から第ｎ画像データを取り込む。
【００４８】
次に、処理部２０８は、ステップＳ１−４で、メモリカード２１から取り込んだ第ｎ画像データを参照して、ＧＰＳ位置情報が含まれるか否かを判定する。処理部２０８は、ステップＳ１−４で画像データにＧＰＳ位置情報が含まれる場合、ステップＳ１−５でＧＰＳ位置情報を抽出する。
【００４９】
次に処理部２０８は、ステップＳ１−６でＧＰＳ位置情報をキーに変換テーブルを参照し、ＧＰＳ位置情報に対応する地名情報を抽出する。
【００５０】
ここで、ＧＰＳ位置情報を地名情報に変換する変換動作について詳細に説明する。
【００５１】
図７はＧＰＳ位置情報を地名情報に変換する変換動作の動作説明図を示す。図７（Ａ）はエリアマップ３０１、図７（Ｂ）はエリア−地名変換テーブル３０２を示す。
【００５２】
エリアマップ３０１は、図７（Ａ）に示すように地図をエリアＡ１〜Ａｎに分割した構成とされている。また、エリア−地名変換テーブル３０２は、エリアＡ１〜Ａｎ毎に付与すべき地名Ｎ１〜Ｎｎが記憶された構成とされている。
【００５３】
処理部２０８により図７（Ａ）に示すエリアマップ３０１上でＧＰＳ位置情報の緯度及び経度を指定すると、指定したＧＰＳ位置Ｐｉに対応するエリアＡｉを決定できる。次に、処理部２０８は、決定されたエリアＡｉによりエリア−地名変換テーブル３０２を参照することにより、地名情報Ｎｉを取得することができる。
【００５４】
このとき、エリアＡｉに対応する地名を単なる地名とするのではなく、名所、旧跡などの名称に設定しておくことにより、ユーザが地名情報を指定しやすくなる。これによって、ユーザの検索操作を容易にできる。
【００５５】
次に処理部２０８は、ステップＳ１−７で、地名情報Ｎｉをファイル名として画像データに付与し、画像データを管理する。これによって、メモリカード２１から読み出された画像データは、処理部２０８により地名情報で管理されるため、画像データを地名などから検索することが可能となる。
【００５６】
次に処理部２０８は、ステップＳ１−８でメモリカード２１からの画像データの取り込みが終了したか否かを判定する。処理部２０８は、ステップＳ１−８でメモリカード２１からの画像データの取り込みが終了していない場合には、ステップＳ１−９で変数ｎに「ｎ＋１」を代入し、ステップＳ１−３に戻って再びメモリカード２１から画像データを取り込む。また、処理部２０８は、ステップＳ１−８でメモリカード２１からの画像データの取り込みが終了した場合には、画像取込処理を終了する。
【００５７】
画像記録装置２１は、操作ボタン２０４やリモコン２０５からの指示に基づいてＣＤ−Ｒ／ＲＷドライブ２０７を制御して、メモリカード２１から取り込まれた画像データを光ディスク２２に記録する。
【００５８】
次に画像記録装置２１の処理部２０８で実行される地図データ書込処理について詳細に説明する。
【００５９】
図８は画像記録装置２１の地図データ書込処理の処理フローチャートを示す。
【００６０】
処理部２０８は、ステップＳ２−１で操作ボタン２０４またはリモコン２０５の操作により地図データの書込指示があると、ステップＳ２−２でメモリカードスロット２０１にメモリカード２１が装着されたか否かを判定する。処理部２０８は、ステップＳ２−２でメモリカードスロット２０１にメモリカード２１が装着されたと判定すると、ステップＳ２−３でＲＯＭ２１０、あるいは、ＣＤ−Ｒ／ＲＷドライブ２０７に装着された光ディスク２２、あるいは、ＵＳＢポート２０２に接続されたパーソナルコンピュータ１５から地図情報を検索して、読み出す。
【００６１】
次に処理部２０８は、ステップＳ２−４で読み出された地図情報がディジタルカメラ１２の液晶ディスプレイ１５２の解像度に対応するように簡略化された地図情報であるか否かを判定する。処理部２０８は、ステップＳ２−４の判定結果、取得した地図情報が簡略化された地図情報である場合には、ステップＳ２−５でメモリカード２１に簡略した地図情報を書き込む。また、処理部２０８は、ステップＳ２−４の判定結果、取得した地図情報が簡略化された地図情報でない場合には、ステップＳ２−６で地図情報をディジタルカメラ１２の液晶ディスプレイ１５２の解像度に対応するように簡略化した後、ステップＳ２−５でメモリカード２１に簡略した地図情報を書き込む。
【００６２】
以上によりメモリカード２１にディジタルカメラ１２の液晶ディスプレイ１５２で最適に表示できる地図情報を記憶することができる。
【００６３】
次にディジタルカメラ１２の処理回路１１５での地図情報を使ったナビゲーション処理について説明する。
【００６４】
図９はディジタルカメラ１２のナビゲーション処理の処理フローチャートを示す。
【００６５】
ディジタルカメラ１２の処理回路１１５は、ステップＳ３−１で操作部１１９の操作によりナビゲーションの指示があると、ステップＳ３−２でメモリカードスロット１２１にメモリカード２１が装着されているか否かを判定する。
【００６６】
処理回路１１５は、ステップＳ３−２での判定結果、メモリカードスロット１２１にメモリカード２１が装着されている場合には、ステップＳ３−３でメモリカード２１に地図情報が記憶されているか否かを判定する。処理回路１１５は、ステップＳ３−３での判定結果、メモリカード２１に地図情報が記憶されている場合には、ステップＳ３−４で、ＧＰＳユニット１０２で測位した緯度、経度、高度、速度、移動方向などの位置情報を取り込み、ステップＳ３−５で、測位位置に応じた地図情報をメモリカード２１から読み出し、画像に展開し、現在位置とともに液晶ディスプレイ１５２に表示する。
【００６７】
このとき、展開された地図画像は、ディジタルカメラ１２の液晶ディスプレイ１５２の解像度に対応した解像であるので、液晶ディスプレイ１５２には、最適な解像度で地図画像が表示される。したがって、ユーザは地図を認識しやすい。
【００６８】
なお、本実施例では、ディジタルスチルカメラ１２からの画像データを、メモリカード２１を介して読み取る場合について説明したが、ディジタルスチルカメラ１２をＵＳＢインタフェースなどにより直接、画像記録装置１１に接続して、ディジタルスチルカメラ１２のインタフェースを介してメモリカード２１から画像データを読み取るようにしてもよい。また、画像データは、静止画に限定されるものではなく、動画像であってもよい。
【００６９】
【発明の効果】
上述の如く、本発明によれば、画像情報に含まれる位置座標情報を、位置座標情報に対応して予め設定された名称情報に変換し、変換された位置名称情報を画像情報のファイル名に設定し、画像情報を管理することにより、撮影した地名を指定することにより撮影された画像を取り出すことができるため、直感的に画像を取り出すことができる、したがって、操作性を向上させることができるなどの特長を有する。
【図面の簡単な説明】
【図１】本発明の一実施例のシステム構成図である。
【図２】ディジタルカメラ１２のブロック構成図である。
【図３】画像データのデータ構成図である。
【図４】画像データのデータ構成図である。
【図５】画像記録装置１１のブロック構成図である。
【図６】画像記録装置１１の動作フローチャートである。
【図７】ＧＰＳ位置情報を地名情報に変換する変換動作の動作説明図である。
【図８】画像記録装置２１の地図データ書込処理の処理フローチャートである。
【図９】ディジタルカメラ１２のナビゲーション処理の処理フローチャートである。
【符号の説明】
１  画像記録システム
１１  画像記録装置、１２  ディジタルカメラ、１３  モニタ
１４  プリンタ、１５  パーソナルコンピュータ
２１  メモリカード、２２  光ディスク
３１  ビデオケーブル、３２、３３  ＵＳＢケーブル
１０１  撮像部、１０２  ＧＰＳユニット、１０３  表示部
１１１  光学レンズ、１１２  絞り、１１３  光学フィルタ
１１４  ＣＣＤユニット、１１５  処理回路、１１６  ドライバ
１１７、１１８  アクチュエータ、１１９  操作部、１２０  インタフェース
１２１  メモリカードスロット
１３１  ＧＰＳアンテナ、１３２  ＧＰＳ受信ユニット
１４０  ＧＰＳ衛星
１５１  ＬＣＤドライバ、１５２  ＬＣＤ
２０１  メモリカードスロット、２０２  ＵＳＢポート
２０３  ビデオ出力端子、２０４  操作ボタン、２０５  リモコン
２０６  リモコンインタフェース、２０７  ＣＤ−Ｒ／ＲＷドライブ
２０８  処理部、２０９  ＲＡＭ、２１０  ＲＯＭ
【図１】
2004159068.tif 000003
【図２】
2004159068.tif 000004
【図３】
2004159068.tif 000005
【図４】
2004159068.tif 000006
【図５】
2004159068.tif 000007
【図６】
2004159068.tif 000008
【図７】
2004159068.tif 000009
【図８】
2004159068.tif 000010
【図９】
2004159068.tif 000011